(57)【要約】【課題】計測数値を迅速活確実に皮膚等価線量評価に変換できる検出器を得る。【解決手段】検出素子の有効検出面積を皮膚等価線量評価に適した面積（例えば１平方センチメートル）とし、それにアンプ、ディスクリ並びにＣＰＵを結合し低圧電源並びに高圧電源を接続して一個の独立した素子とし、それを一個の装置の中に複数設置して使用する琴により、検出器に表面汚染密度に対する１平方センチメートル当りの分解能を持たせ、複数個の独立した検出素子により検出された最大値からの演算により皮膚等価線量のより正確な評価をし、更に、最大の値を示す部位がどの検出素子が対応している部位であるかを即座に特定する。【選択図】        図３
2004317241.tif 000002
【特許請求の範囲】
【請求項１】
有効検出窓面積が皮膚等価線量評価に適した面積のシリコン半導体にアンプ、ディスクリ並びにＣＰＵを結合し低圧電源並びに高圧電源を接続して一個の独立した素子とし、該素子を操作スイッチを入力端末としＬＣＤ表示器を出力端末とするメインＣＰＵに接続したことを特徴とする皮膚等価線量測定用検出器。
【請求項２】
複数個の素子をメインＣＰＵに接続したことを特徴とする請求項１記載の皮膚等価線量測定用検出器。
【発明の詳細な説明】
【０００１】
【発明が属する技術分野】
本発明は、皮膚等価線量の迅速確実な検出と評価、並びに測定した範囲内における最大汚染部位の位置決定を行い得る、新規の皮膚等価線量測定用検出器にに関するものである。
【０００２】
【従来の技術】
皮膚等価線量は１平方センチメートル当りの最大汚染密度で評価する定めになっているが、従来は皮膚等価線量を直接的に測定する検出器が存在せず、その作業は汚染サーベイメーターで表面汚染密度を測定し、その数値から皮膚等価線量を算出していた。一般的に使用されてきた汚染サーベイメーターの表面汚染の測定面積は、直径１インチの円盤状素子で検出窓面積が５平方センチメートル、直径２インチの円盤状素子で検出窓面積が２０平方センチメートルであり、その面積の中での表面汚染密度の数値が最大と測定された数値から皮膚等価線量を算出していた。
【０００３】
そのような演算は、測定値（ｎ’〔ｃｐｍ〕）から皮膚汚染密度（Ａ〔Ｂｑ／ｃｍ２〕）を算出し、それに換算係数を乗じて皮膚等価線量率（ｎ）を算出することにより行われる。その計算式は、Ａ＝（ｎ’−  ｎｂｇ）／（εｉ〔機器効率〕  ｘ  Ｗ〔検出窓面積〕
ｘ  εｓ〔定数〕）
、ｎ＝  Ａ  ｘ  Ｋ（皮膚等価線量への換算係数）である。また、従来のいわゆる傷モニターと総称される測定器においては、創傷部内の汚染位置の特定のみが行われていた。
【０００４】
【発明が解決しようとする課題】
汚染サーベーメーターにより皮膚等価線量を算出するものにおいては、表面汚染密度を基礎として皮膚等価線量を算出するため、厳密に正確な情報が得られない場合があるとともに、例えば２インチの素子を使用した測定において、その検出窓面積２０平方センチメートルのどの部分が皮膚等価線量のもっとも大きい部位であるかを特定することが出来ず、１平方センチメートル当りの評価が不可能であるとともに、単位面積あたりの評価を導出した場合、過小評価となる恐れがあった。
【０００５】
また、傷モニターの場合には汚染位置の特定は可能であるが、皮膚等価線量の評価を行わしめることが困難であった。本発明においては皮膚等価線量の直接的な測定評価並びに皮膚等価線量が最大値を示す部位の特定を可能にする検出器の提供を目的としている。
【０００６】
【課題を解決するための手段】
本発明による皮膚等価線量評価に適した面積の素子（例えば１ｃｍ  ｘ１ｃｍ）１２枚を、６枚２列に並べ、電源投入時にそれぞれの素子ごとにバックグランド値（ｎｂｇ）を測定する。実測定においてはそれぞれの素子ごとに放射線（ｎ’）を計測する。測定器に設置したＣＰＵにより素子一枚ごとに自動演算を行わしめ、１２個の皮膚等価線料率（ｎ）を算出し、それを表示部に表示する。
【０００７】
各素子は、シリコン半導体、アンプ、ディスクリ及びＣＰＵにより構成されており、電源部に接続されるとともに、その検出値は操作スイッチにより制御されるメインＣＰＵへ送られ、メインＣＰＵによる演算結果はＬＣＤ表示部に表示される。
【０００８】
皮膚等価線料率（ｎ）は次の式により求められる。ｎ＝Ｋ〔皮膚等価線量への換算定数〕（ｎ’−  ｎｂｇ）／εｉ〔機器効率〕
【０００９】
ＬＣＤ表示部においては、演算結果の数値的表示とともに、各素子に対応する視覚的表示を行うことによって、最大の皮膚等価線量を示した素子を認識可能とすること、あるいは各素子の独立した皮膚等価線量を順次表示させることなどが可能である。シリコン半導体による検出素子の平面形状は正方形、矩形、その他の多角形、円形など任意に選択できるとともに、その配列もまた任意である。
【００１０】
【発明の実施の形態】
図面に従い本発明実施例を説明すると、図１において１はシリコン半導体でその有効検出窓面積は１平方センチメートルで作成されている。２はアンプ、３はディスクリ、４はＣＰＵ、５はＣＰＵからの演算結果を出力する出力線である。６は低圧電源の印加を受ける低圧電源用リード線、７は高圧電源の印加を受ける高圧電源用リード線である。以上が本発明に使用される素子の概念である。
【００１１】
図２は図１に示した素子を横６枚縦二列に並べて構成した素子の集合体８で、このようにすれば集合体８の１３．６平方センチメートルの枠組みの中で１２通りの検出結果を得ることができる。
【００１２】
図３は図２に示した集合体を図４に示す可搬式の装置としてまとめ上げるための接続概念図で、出力線５は操作スイッチ９を入力端末としＬＣＤ表示器１０を出力端末とするメインＣＰＵ１１に接続され、各素子とメインＣＰＵ１１及びＬＣＤ表示部１０には低圧電源部１２及び高圧電源部１３から必要な電圧が供給されている。因みに１４は電源となる電池、１５はメインスイッチである。
【００１３】
一般手金操作手順は、メインスイッチ１４をＯＮにすることによって開始される。メインスイッチ１４をＯＮにすることによって、各素子はそれぞれバックグラウンド値（ｎｇｂ）を測定し、操作スイッチ９のＥＮＴキーをＯＮにすると、各素子はその素子ごとに放射線ｎ’を測定する。それらの数値によってメインＣＰＵ１１が必要な演算を行い、演算結果はＬＣＤ表示器１０に表示される。
【００１４】
【発明の効果】
検出素子の有効検出面積を皮膚等価線量評価に適した面積（例えば１平方センチメートル）とすることで、検出器に表面汚染密度に対する１平方センチメートル当りの分解能を持たせることが出来、独立した検出素子により検出された最大値からの演算により皮膚等価線量のより正確な評価が可能となり、更に、最大の値を示す部位がどの検出素子が対応している部位であるかを即座に特定できる検出器を得られる効果がある。
【図面の簡単な説明】
【図１】本発明に使用される素子の概念図である。
【図２】図１に示した素子を複数個くみ上げた集合体の正面図である。
【図３】本発明による皮膚等価線量測定用検出器の接続概念図である。
【図４】本発明による皮膚等価線量測定用検出器の平面的外観図である。
【符号の説明】
１    半導体
２    アンプ
３    ディスクリ
４    ＣＰＵ
５    出力線
６    低圧電源用リード線
７    高圧電源用リード線
８    集合体
９    操作スイッチ
１０  ＬＣＤ表示器
１１  メインＣＰＵ
１２  低圧電源
１３  高圧電源
１４  電池
１５  メインスイッチ
【図１】
2004317241.tif 000003
【図２】
2004317241.tif 000004
【図３】
2004317241.tif 000005
【図４】
2004317241.tif 000006